【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
治療用組成物（５）の電気的に制御された溶出のためのナノワイヤアレイ（１５、１６）であって、導電性固体支持体（７）に付着した、複数のナノスケールサイズのワイヤであるナノワイヤ（１２、１２'）を含み、該ナノワイヤが、複数のナノスケールサイズの導電性金属突起（８）を被覆する、前記治療用組成物（５）を含有するか、又はドープした電気活性共役ポリマー（４）から形成される、ナノワイヤアレイ。
【請求項２】
エッジ効果を補償するために、複数のナノワイヤのワイヤ密度又はワイヤサイズが接点領域の異なる区域で使用され、それにより電流が該領域全体で均一となり、接点により安全に送達される全電流がさらに大きくなるように構成される、請求項１に記載のアレイ。
【請求項３】
前記導電性固体支持体の面積に対する総面積の比率が、アレイの中心部で最大であり、アレイ表面での不均一な電流密度の補償が可能となるように構成される、請求項１又は２に記載のアレイ。
【請求項４】
前記アレイ（１５、１６）のナノワイヤ（１２、１２'）が、幅１０ｎｍ〜１０ミクロンの細長い形状を有する、請求項１〜３のいずれか一項に記載のアレイ。
【請求項５】
前記アレイ（１５、１６）のナノワイヤ（１２、１２'）が、０．４〜２０００のアスペクト比（長さ／幅）を有する、請求項１〜４のいずれか一項に記載のアレイ。
【請求項６】
前記ナノワイヤ（１２、１２'）が、前記導電性固体支持体（７）の表面に対して実質的に垂直に配向する、請求項１〜５のいずれか一項に記載のアレイ。
【請求項７】
前記電気活性共役ポリマー（４）が、ピロール若しくは置換ピロール誘導体、アニリン若しくは置換アニリン誘導体、フラン若しくは置換フラン誘導体、チオフェン若しくは置換チオフェン誘導体、ホスホール若しくは置換ホスホール誘導体、シロール若しくは置換シロール誘導体、アルソール若しくは置換アルソール誘導体、ボロール若しくは置換ボロール誘導体、セレノール、置換セレノール誘導体、又はアニリン及び置換アニリン誘導体のいずれかのモノマーから形成される、請求項１〜６のいずれか一項に記載のアレイ。
【請求項８】
前記電気活性共役ポリマー（４）が、式（Ｉ）
【化１】
2011500184.tif 000001
又は式（ＩＩ）
【化２】
2011500184.tif 000002
（式中、
ｎは３以上の整数であり、
Ｘは−ＮＲ１−、Ｏ、Ｓ、ＰＲ２、ＳｉＲ５Ｒ６、Ｓｅ、ＡｓＲ３、ＢＲ４から成る群から選択されるが、ここで、Ｒ１、Ｒ２、Ｒ３、Ｒ４、Ｒ５、及びＲ６は独立して水素、アルキル基、又はアリール基から成る群から選択され、
Ｒ及びＲ'は独立してアルキル、アリール、ヒドロキシル、アルコキシから成る群から選択されるか、又はＲ及びＲ'は、それらが結合している炭素原子と共に、アリール、ヘテロアリール、シクロアルキル、ヘテロシクリルから選択される環を形成し、
Ａ及びＡ'は独立してヘテロシクリル、アルケニル、アルキニル、又は芳香環から成る群から選択される）の化合物を含むポリマーである、請求項１〜６のいずれか一項に記載のアレイ。
【請求項９】
前記電気活性共役ポリマー（４）がポリピロールである、請求項１〜８のいずれか一項に記載のアレイ。
【請求項１０】
前記ナノスケールサイズの導電性突起（８）が、銅、チタン、金、銀、白金、パラジウム、ビスマス、又はニッケルから形成される、請求項１〜９のいずれか一項に記載のアレイ。
【請求項１１】
前記ナノスケールサイズの導電性突起（８）が、前記治療用組成物（５）をドープした電気活性共役ポリマー（４）で被覆した後に、請求項２及び３において規定されるような寸法を有するナノワイヤ（１２、１２'）を提供するのに好適なサイズ及び形状である、請求項１〜１０のいずれか一項に記載のアレイ。
【請求項１２】
前記導電性固体支持体（７）が銅、チタン、金、銀、白金、パラジウム、ビスマス、ニッケル、ステンレス鋼のいずれかから作製される、請求項１〜１１のいずれか一項に記載のアレイ。
【請求項１３】
前記治療用組成物（５）が、ビタミン、抗酸化物質、又はミネラルを含む１つ又は複数の栄養物質を含む、請求項１〜１２のいずれか一項に記載のアレイ。
【請求項１４】
前記治療用組成物（５）が少なくとも１つのＴＮＦ−α阻害薬を含む、請求項１〜１３のいずれか一項に記載のアレイ。
【請求項１５】
前記ＴＮＦ−α阻害薬がアダリムマブ、インフリキシマブ、エタネルセプト、セルトリズマブペゴール、又はゴリムマブのいずれかである、請求項１４に記載のアレイ。
【請求項１６】
前記治療用組成物（５）が少なくとも１つの抗炎症薬を含む、請求項１〜１５のいずれか一項に記載のアレイ。
【請求項１７】
前記抗炎症薬がリン酸デキサメタゾンナトリウム、アセクロフェナク、アセメタシン、アスピリン、セレコキシブ、デクスイブプロフェン、デクスケトプロフェン、ジクロフェナク、ジフルニサル、エトドラク、エトリコキシブ、フェンブフェン、フェノプロフェン、フルルビプロフェン、イブプロフェン、インドメタシン、ケトプロフェン、ケトロラックトロメタモール、ルミラコキシブ、メフェナム酸、メロキシカム、ナブメトン、ナプロキセン、ニメスリド、オキサプロジン、パレコキシブ、フェニルブタゾン、ピロキシカム、プログルメタシン、スリンダク、テノキシカム、又はチアプロフェン酸のいずれかである、請求項１６に記載のアレイ。
【請求項１８】
前記治療用組成物（５）が、抗癌剤、抗精神病薬、抗パーキンソン病薬、抗てんかん薬、又は抗片頭痛薬である活性化合物を含む、請求項１〜１７のいずれか一項に記載のアレイ。
【請求項１９】
前記治療用組成物（５）が、ヌクレオチド、オリゴヌクレオチド、アンチセンスオリゴヌクレオチド、ＤＮＡ、ＲＮＡ、及びｍＲＮＡ等の核酸、アミノ酸、並びに天然、合成及び組み換えタンパク質、糖タンパク質、ポリペプチド、ペプチド、酵素、抗体、ホルモン、サイトカイン、並びに成長因子を含む、請求項１〜１８のいずれか一項に記載のアレイ。
【請求項２０】
前記導電性固体支持体の面積に対する総面積の比率が、アレイの中心部で最大であり、アレイ表面での不均一な電流密度の補償が可能となるように構成される、請求項１〜１９のいずれか一項に記載のアレイ。
【請求項２１】
電極接点であって、請求項１〜２０のいずれか一項において規定されるような前記アレイ（１５、１６）の前記導電性固体支持体（７）が、該電極接点の少なくとも一部から形成される、電極接点。
【請求項２２】
請求項２１において規定されるような電極接点が組み込まれた、電気刺激電極又は電気記録電極。
【請求項２３】
カフ電極として構成される、請求項２１に記載の電極。
【請求項２４】
迷走神経の刺激電極及び／又は記録電極として構成される、請求項２１に記載の電極。
【請求項２５】
末梢神経の刺激電極及び／又は記録電極として構成される、請求項２１に記載の電極。
【請求項２６】
脳深部の刺激電極及び／又は記録電極として構成される、請求項２１に記載の電極。
【請求項２７】
人工内耳に組み込まれる、請求項２１に記載の電極。
【請求項２８】
脳の刺激電極及び記録電極として構成される、請求項２１に記載の電極。
【請求項２９】
腫瘍埋め込み型デバイスとして構成される、請求項２１に記載の電極。
【請求項３０】
皮下埋め込み型デバイスとして構成される、請求項２１に記載の電極。
【請求項３１】
人工眼に組み込まれる、請求項２１のいずれか一項に記載の電極。
【請求項３２】
治療用組成物（５）を溶出させるためのナノワイヤアレイ（１５、１６）を作製する方法であって、
（ａ）ポリマーマトリクス（２）の層を導電性固体支持体（７）の少なくとも一部に蒸着する工程、
（ｂ）前記ポリマーマトリクス（２）の層にトラックエッチングにより孔（３）を作り、それによりナノ多孔性ポリマー層（１）を形成する、作る工程、
（ｃ）前記ナノ多孔性ポリマー層（１）の前記孔（３）内に導電性金属材料を電着する工程、
（ｄ）前記ナノ多孔性ポリマー層（１）を溶解して、導電性金属突起（８）を形成する、溶解する工程、及び
（ｅ）前記突起（８）上に、治療用組成物（５）をドープした電気活性共役ポリマー（４）を電解重合させて、それによりナノワイヤアレイ（１５、１６）を形成する、電解重合させる工程を含む、方法。
【請求項３３】
エッジ効果を補償するために、複数のナノワイヤのワイヤ密度又はワイヤサイズが接点領域の異なる区域で使用され、それにより電流が該領域全体で均一となり、接点により安全に送達される全電流がさらに大きくなる、請求項３２に記載の方法。
【請求項３４】
前記導電性固体支持体の面積に対する総面積の比率が、アレイの中心部で最大であり、アレイ表面での不均一な電流密度の補償が可能となる、請求項３２又は３３に記載の方法。
【請求項３５】
前記導電性固体支持体（７）が請求項１０において規定されるようなものであり、
前記電気活性共役ポリマー（４）が請求項５〜７のいずれか一項において規定されるようなものであり、
前記治療用組成物（５）が請求項１１〜１７のいずれか一項において規定されるようなものであり、且つ
前記導電性突起（８）が請求項８又は９において規定されるようなものである、請求項３２〜３４のいずれか一項に記載の方法。
【請求項３６】
請求項３２〜３５のいずれか一項に記載の方法を含む、電極接点を作製する方法であって、前記導電性固体支持体（７）を前記電極の接点の少なくとも一部から形成する、方法。
【請求項３７】
電極接点が配置された内向面、及び外向面を有するスパイラルカフ電極又はフラットシート電極を作製する方法であって、
未延伸の可撓性シートの一方の面を、第２の可撓性シートの一方の面に接着させる工程であって、該第２の可撓性シートは接着の前に一方向に延伸されているか、又は延伸されていない、接着させる工程、及び
請求項３２において規定されるような方法を用いて、内向面の上又は中に電極接点を設け、それによりスパイラルカフ電極又はフラットシート電極を形成する、設ける工程を含む、方法。
【請求項３８】
前記可撓性シートがシリコーンエラストマー、好ましくはシリコーンゴムから作製される、請求項３７に記載の方法。
【請求項３９】
前記電極接点が接着した前記シート間に設けられ、且つ延伸された前記可撓性シートにおける開口部により露出する、請